(57)【要約】【課題】  商用電力系統と系統連系される発電装置における現在の売電／買電の状況を、視覚的に一目で把握し得る電力情報表示装置を提供する。【解決手段】  電力状況表示モニター４１の左側に発電量表示部４３を、右側に使用電力表示部４４を、中央に売電/買電表示部４２を表示する。売電又は買電の各電力値の大小に応じて、発電量表示部４３と使用電力表示部４４の上下方向位置を、売電／買電表示部４２の中心点を支点にしてシーソーの如く一方がより高くなれば他方がより低く変化するように、段階的に変更して表示する。発電量表示部４３、売電／買電表示部４２及び使用電力表示部４４の各中心点を互いに結ぶように設定した区画線４５を挟んで下側領域４７に対し、電力売買状況が売電なら青色、買電なら橙色の着色を付す。【選択図】      図３
2015070694.tif 000002
【特許請求の範囲】
【請求項１】
発電装置の現在の発電量を計測する発電量計測部からの現在発電量に係る出力と、家庭内負荷の現在の使用電力を計測する使用電力計測部からの現在使用電力に係る出力と、これら現在発電量及び現在使用電力の対比に基づき現在の電力売買状況が売電か又は買電かのいずれであるかの売電／買電情報に係る出力とを受けて、電力状況表示モニターに対し、前記の現在発電量及び現在使用電力を含む電力状況を表示制御するための表示制御手段を備えた電力情報表示装置において、
前記表示制御手段は、前記売電／買電情報が売電であれば、前記電力状況表示モニターの左右方向一側領域において上下方向一側位置に領域設定した発電量表示部に対し前記現在発電量に係る情報表示を表示する一方、前記電力状況表示モニターの左右方向他側領域において前記発電量表示部よりも上下方向に対し他側位置に領域設定した使用電力表示部に対し前記現在使用電力に係る情報表示を表示するように構成されている
ことを特徴とする電力情報表示装置。
【請求項２】
請求項１に記載の電力情報表示装置であって、
前記の現在発電量及び現在使用電力が互いに略平衡状態になって前記電力売買状況検出部から売電及び買電のいずれにも属さない旨の売電／買電情報が前記表示制御手段に出力されれば、前記表示制御手段は、前記電力状況表示モニターの左右方向一側領域における発電量表示部と、左右方向他側領域における現在発電量表示部とを上下方向に対し互いに同じ位置にそれぞれ領域設定し、設定された発電量表示部に対し前記現在発電量に係る情報表示を、同じく設定された現在使用電力表示部に対し前記現在使用電力に係る情報表示をそれぞれ表示するように構成されている、電力情報表示装置。
【請求項３】
請求項１又は請求項２に記載の電力情報表示装置であって、
前記表示制御手段は、前記売電／買電情報が買電であれば、前記電力状況表示モニターの左右方向一側領域において前記売電／買電情報が売電の場合とは逆に上下方向他側位置に領域設定した発電量表示部に対し前記現在発電量に係る情報表示を表示する一方、前記電力状況表示モニターの左右方向他側領域において前記発電量表示部よりも上下方向に対し一側位置に領域設定した使用電力表示部に対し前記現在使用電力に係る情報表示を表示するように構成されている、電力情報表示装置。
【請求項４】
請求項１〜請求項３のいずれかに記載の電力情報表示装置であって、
前記表示制御手段は、前記現在発電量及び現在使用電力に基づいて得られる売電の電力値又は買電の電力値の各数値の大小に応じて、前記発電量表示部と、前記使用電力表示部との上下方向位置を段階的に又は無段階に変更するように構成されている、電力情報表示装置。
【請求項５】
請求項４に記載の電力情報表示装置であって、
前記表示制御手段は、前記発電量表示部と、前記使用電力表示部との上下方向位置の変更を、前記発電量表示部と前記使用電力表示部との左右方向の略中間点を支点にして、前記発電量表示部と前記使用電力表示部とが点対称を維持するように変更するように構成されている、電力情報表示装置。
【請求項６】
請求項５に記載の電力情報表示装置であって、
前記表示制御手段は、前記現在発電量及び現在使用電力に基づいて得られる売電の電力値又は買電の電力値の数値表示を、前記支点を囲むように領域設定された売電/買電表示部に対し売電／買電情報の表示と共に表示するように構成されている、電力情報表示装置。
【請求項７】
請求項１〜請求項６のいずれかに記載の電力情報表示装置であって、
前記表示制御手段は、電力状況表示モニターの背景の少なくとも一部領域に対し有色の色彩で着色するように構成され、かつ、その着色を前記売電／買電情報の売電か買電かによって互いに異なる色彩に変更するように構成されている、電力情報表示装置。
【請求項８】
請求項７に記載の電力情報表示装置であって、
前記表示制御手段は、前記発電量表示部と前記使用電力表示部とを互いに結ぶように設定した区画線を挟んで上下方向に対しいずれか一方の領域に対し着色するように構成されている、電力情報表示装置。
【請求項９】
発電装置の現在の発電量を計測する発電量計測部からの現在発電量に係る出力と、家庭内負荷の現在の使用電力を計測する使用電力計測部からの現在使用電力に係る出力と、これら現在発電量及び現在使用電力の対比に基づき現在の電力売買状況が売電か又は買電かのいずれであるかの売電／買電情報に係る出力とを受けて、電力状況表示モニターに対し、前記の現在発電量及び現在使用電力を含む電力状況を表示制御するための表示制御手段を備えた電力情報表示装置において、
前記表示制御手段は、前記売電／買電情報が売電であれば、前記電力状況表示モニターの上下方向一側領域において左右方向一側位置に領域設定した発電量表示部に対し前記現在発電量に係る情報表示を表示する一方、前記電力状況表示モニターの上下方向他側領域において前記発電量表示部よりも左右方向に対し他側位置に領域設定した使用電力表示部に対し前記現在使用電力に係る情報表示を表示するように構成されている
ことを特徴とする電力情報表示装置。
【請求項１０】
請求項９に記載の電力情報表示装置であって、
前記の現在発電量及び現在使用電力が互いに略平衡状態になって前記電力売買状況検出部から売電及び買電のいずれにも属さない旨の売電／買電情報が前記表示制御手段に出力されれば、前記表示制御手段は、前記電力状況表示モニターの上下方向一側領域における発電量表示部と、上下方向他側領域における現在発電量表示部とを左右方向に対し互いに同じ位置にそれぞれ領域設定し、設定された発電量表示部に対し前記現在発電量に係る情報表示を、同じく設定された現在使用電力表示部に対し前記現在使用電力に係る情報表示をそれぞれ表示するように構成されている、電力情報表示装置。
【請求項１１】
請求項９又は請求項１０に記載の電力情報表示装置であって、
前記表示制御手段は、前記売電／買電情報が買電であれば、前記電力状況表示モニターの上下方向一側領域において前記売電／買電情報が売電の場合とは逆に左右方向他側位置に領域設定した発電量表示部に対し前記現在発電量に係る情報表示を表示する一方、前記電力状況表示モニターの上下方向他側領域において前記発電量表示部よりも左右方向に対し一側位置に領域設定した使用電力表示部に対し前記現在使用電力に係る情報表示を表示するように構成されている、電力情報表示装置。
【請求項１２】
請求項９〜請求項１１のいずれかに記載の電力情報表示装置であって、
前記表示制御手段は、前記現在発電量及び現在使用電力に基づいて得られる売電の電力値又は買電の電力値の各数値の大小に応じて、前記発電量表示部と、前記使用電力表示部との左右方向位置を段階的に又は無段階に変更するように構成されている、電力情報表示装置。
【請求項１３】
請求項１２に記載の電力情報表示装置であって、
前記表示制御手段は、前記発電量表示部と、前記使用電力表示部との左右方向位置の変更を、前記発電量表示部と前記使用電力表示部との上下方向の略中間点を支点にして、前記発電量表示部と前記使用電力表示部とが点対称を維持するように変更するように構成されている、電力情報表示装置。
【請求項１４】
請求項１３に記載の電力情報表示装置であって、
前記表示制御手段は、前記現在発電量及び現在使用電力に基づいて得られる売電の電力値又は買電の電力値の数値表示を、前記支点を囲むように領域設定された売電／買電表示部に対し売電／買電情報の表示と共に表示するように構成されている、電力情報表示装置。
【請求項１５】
請求項９〜請求項１４のいずれかに記載の電力情報表示装置であって、
前記表示制御手段は、電力状況表示モニターの背景の少なくとも一部領域に対し有色の色彩で着色するように構成され、かつ、その着色を前記売電／買電情報の売電か買電かによって互いに異なる色彩に変更するように構成されている、電力情報表示装置。
【請求項１６】
請求項１５に記載の電力情報表示装置であって、
前記表示制御手段は、前記発電量表示部と前記使用電力表示部とを互いに結ぶように設定した区画線を挟んで左右方向に対しいずれか一方の領域に対し着色するように構成されている、電力情報表示装置。
【発明の詳細な説明】
【技術分野】
【０００１】
本発明は、商用電力系統と系統連系される発電装置に適用するための電力情報表示装置に関し、特に発電量と使用電力との対比により売電又は買電に係る現在の電力状況を視覚的に一目で認識し得る表示形態で表示し得るようにした電力情報表示装置に係る。
【背景技術】
【０００２】
例えば、近年、太陽光発電パネルの普及に伴い各家庭においても太陽光発電パネルを設置し発電された電力を自宅で使用したり余剰電力は売電したりすることが行われている。その一方、雨天等の太陽光発電が不能の日には系統から買電することで各家庭での使用電力を賄うということが行われている。かかる状況下において、下記の特許文献１（図４参照）や特許文献２（図３参照）では、発電量や使用電力等をモニターに表示することが開示されている。又、特許文献３（図４〜図６参照）では、節約電力量の多少に応じてキャラクタの状況を変化させてモニターに表示することが開示されている。
【先行技術文献】
【特許文献】
【０００３】
【特許文献１】特開２０１２−１７８７０１号公報
【特許文献２】特開２０１０−１６９３１４号公報
【特許文献３】特開２００７−２７２２６８号公報
【発明の概要】
【発明が解決しようとする課題】
【０００４】
しかしながら、従来の電力情報表示装置においては、電力に関する情報は示されているものの、現在状況が買電なのか又は売電なのか、さらには、どの程度の買電なのか又は売電なのかの区別をユーザーが一目で把握し得るとは言い難いものであり、それらを把握するためには、表示内容をじっくりと対比観察する必要があったり、あるいは、対比観察する上で種々の数値を表示させるための操作を要したり、するものであった。
【０００５】
すなわち、例えば特許文献１の図４の如く、表示部に対し、家の形状、ガスエンジン（発電装置）の形状、自宅の電灯の形状、及び、外部の電柱の形状を破線で結んだものを表示し、「発電」等の文字と、数値とを表示したとしても、それらの表示内容をじっくり見た上で、それらの数値の大小関係等を導き出さなければ、現在の売電／買電の状況を十分に把握し得ない。又、特許文献２の図３の如く、表示部に対し、前記と同様に家等の形状を表示し、電気の流れを破線の矢印で表示したとしても、現在の売電／買電の状況、例えば売電でどの程度得しているのか、あるいは、買電でどの程度損しているのか等の状況は直ぐには把握し得ない。さらには、特許文献３の図４〜図６の如く、表示部に表示するキャラクタの表情を変化させるようにしたとしても、単に節約がうまくいっているか、うまくいっていないかの状況を表すに過ぎず、現在の売電／買電の状況を十分に把握することはできない。
【０００６】
本発明は、このような事情に鑑みてなされたものであり、その目的とするところは、商用電力系統と系統連系される発電装置における現在の売電／買電の状況を、視覚的に一目で把握し得る電力情報表示装置を提供することにある。
【課題を解決するための手段】
【０００７】
上記目的を達成するために、第１の発明では、発電装置の現在の発電量を計測する発電量計測部からの現在発電量に係る出力と、家庭内負荷の現在の使用電力を計測する使用電力計測部からの現在使用電力に係る出力と、これら現在発電量及び現在使用電力の対比に基づき現在の電力売買状況が売電か又は買電かのいずれであるかの売電／買電情報に係る出力とを受けて、電力状況表示モニターに対し、前記の現在発電量及び現在使用電力を含む電力状況を表示制御するための表示制御手段を備えた電力情報表示装置を対象にして、次の特定事項を備えることとした。すなわち、前記表示制御手段として、前記売電／買電情報が売電であれば、前記電力状況表示モニターの左右方向一側領域において上下方向一側位置に領域設定した発電量表示部に対し前記現在発電量に係る情報表示を表示する一方、前記電力状況表示モニターの左右方向他側領域において前記発電量表示部よりも上下方向に対し他側位置に領域設定した使用電力表示部に対し前記現在使用電力に係る情報表示を表示する構成とした（請求項１）。
【０００８】
本発明の場合、電力状況表示モニターの左右方向一側領域に発電量表示部が表示され、左右方向他側領域に使用電力表示部が表示され、かつ、発電量表示部の表示位置が上下方向一側位置に領域設定される一方、使用電力表示部の表示位置が上下方向他側位置に領域設定されるため、発電量表示部及び使用電力表示部の表示を、たとえ遠くから見たとしても、その表示位置の高い／低いという違いを一目で認識し得ることとなる。このため、これら現在発電量に係る情報や、現在使用電力に係る情報、ひいては、現在の電力売買状況が売電状態にあることについて、一目見るだけで把握可能となし得ることになる。
【０００９】
本発明の電力情報表示装置において、現在発電量及び現在使用電力が互いに略平衡状態になって電力売買状況検出部から売電及び買電のいずれにも属さない旨の売電／買電情報が表示制御手段に出力されれば、表示制御手段として、電力状況表示モニターの左右方向一側領域における発電量表示部と、左右方向他側領域における現在発電量表示部とを上下方向に対し互いに同じ位置にそれぞれ領域設定し、設定された発電量表示部に対し現在発電量に係る情報表示を、同じく設定された現在使用電力表示部に対し現在使用電力に係る情報表示をそれぞれ表示する構成とすることができる（請求項２）。このようにすることにより、請求項１の場合と同様に、発電量表示部及び使用電力表示部の表示を、たとえ遠くから見たとしても、それらの上下方向に対する表示位置が同等か否かを一目で認識し得ることとなる。このため、これら現在発電量が現在使用電力と同等の平衡状態にあり、ひいては、現在の電力売買状況が売電でも買電でもない状態であることについて、一目見るだけで把握可能となし得ることになる。
【００１０】
本発明の電力情報表示装置において、表示制御手段として、売電／買電情報が買電であれば、電力状況表示モニターの左右方向一側領域において売電／買電情報が売電の場合とは逆に上下方向他側位置に領域設定した発電量表示部に対し現在発電量に係る情報表示を表示する一方、電力状況表示モニターの左右方向他側領域において発電量表示部よりも上下方向に対し一側位置に領域設定した使用電力表示部に対し現在使用電力に係る情報表示を表示する構成とすることができる（請求項３）。このようにすることにより、請求項１の場合と同様に、発電量表示部及び使用電力表示部の表示を、たとえ遠くから見たとしても、その表示位置の高い／低いが一目で認識し得ることとなる。このため、これら現在発電量に係る情報や、現在使用電力に係る情報、ひいては、現在の電力売買状況が買電状態にあることについて、一目見るだけで把握可能となし得ることになる。
【００１１】
本発明の電力情報表示装置において、表示制御手段として、現在発電量及び現在使用電力に基づいて得られる売電の電力値又は買電の電力値の各数値の大小に応じて、発電量表示部と、使用電力表示部との上下方向位置を段階的に又は無段階に変更する構成とすることができる（請求項４）。このようにすることにより、発電量表示部及び使用電力表示部の表示を、たとえ遠くから見たとしても、それぞれの表示位置の高い／低いという程度の違いが一目で認識し得ることとなる。このため、これら現在の電力売買状況が売電状態にあるのか買電状態にあるのかの情報に加えて、その売電状態又は買電状態の程度がどれ位かの目安について、一目見るだけで把握可能となし得ることになる。
【００１２】
このような電力情報表示装置においては、表示制御手段として、発電量表示部と、使用電力表示部との上下方向位置の変更を、発電量表示部と使用電力表示部との左右方向の略中間点を支点にして、発電量表示部と使用電力表示部とが点対称を維持するように変更する構成を付加することができる（請求項５）。このようにすることにより、発電量表示部と使用電力表示部との上下方向位置の変更が、前記支点を中心としてシーソーの如く一側がより高くなれば他側がより低く変化するものとなり、前記の売電状態又は買電状態の程度がどれ位かの目安について、より容易に把握可能となし得ることになる。
【００１３】
又、このような電力情報表示装置においては、さらに、表示制御手段として、現在発電量及び現在使用電力に基づいて得られる売電の電力値又は買電の電力値の数値表示を、前記支点を囲むように領域設定された売電/買電表示部に対し売電／買電情報の表示と共に表示する構成を付加することができる（請求項６）。このようにすることにより、売電の電力値又は買電の電力値の数値表示が行われるため、売電又は買電の程度を具体的な数値で確認し得ることとなる。
【００１４】
さらに、本発明の電力情報表示装置において、表示制御手段として、電力状況表示モニターの背景の少なくとも一部領域に対し有色の色彩で着色する構成とし、かつ、その着色を売電／買電情報の売電か買電かによって互いに異なる色彩に変更する構成することができる（請求項７）。このようにすることにより、売電か買電かによって互いに異なる色彩の着色が付されているため、現在の電力売買状況が売電であるか買電であるかの別を、遠くからでも一目見るだけで視覚的に容易に把握し得ることとなる。
【００１５】
このような電力情報表示装置においては、表示制御手段として、発電量表示部と使用電力表示部とを互いに結ぶように設定した区画線を挟んで上下方向に対しいずれか一方の領域に対し着色する構成を追加することができる（請求項８）。このようにすることにより、発電量表示部と使用電力表示部との上下方向位置の違いが遠くから見ても着色領域の形状の違いにより一目で認識可能となり、前記の現在の電力売買状況が売電であるか買電であるかの別についての把握を、視覚的により一層容易に把握し得ることとなる。
【００１６】
第１の発明と同様の目的を達成するための第２の発明では、発電装置の現在の発電量を計測する発電量計測部からの現在発電量に係る出力と、家庭内負荷の現在の使用電力を計測する使用電力計測部からの現在使用電力に係る出力と、これら現在発電量及び現在使用電力の対比に基づき現在の電力売買状況が売電か又は買電かのいずれであるかの売電／買電情報に係る出力とを受けて、電力状況表示モニターに対し、前記の現在発電量及び現在使用電力を含む電力状況を表示制御するための表示制御手段を備えた電力情報表示装置を対象にして、次の特定事項を備えることとした。すなわち、前記表示制御手段として、前記売電／買電情報が売電であれば、前記電力状況表示モニターの上下方向一側領域において左右方向一側位置に領域設定した発電量表示部に対し前記現在発電量に係る情報表示を表示する一方、前記電力状況表示モニターの上下方向他側領域において前記発電量表示部よりも左右方向に対し他側位置に領域設定した使用電力表示部に対し前記現在使用電力に係る情報表示を表示する構成とした（請求項９）。
【００１７】
この第２の発明の場合、電力状況表示モニターの上下方向一側領域に発電量表示部が表示され、上下方向他側領域に使用電力表示部が表示され、かつ、発電量表示部の表示位置が左右方向一側位置に領域設定される一方、使用電力表示部の表示位置が左右方向他側位置に領域設定されるため、発電量表示部及び使用電力表示部の表示を、たとえ遠くから見たとしても、それらの表示位置が左右方向に対しずれていることを一目で認識し得ることとなる。このため、これら現在発電量に係る情報や、現在使用電力に係る情報、ひいては、現在の電力売買状況が売電状態にあることについて、一目見るだけで把握可能となし得ることになる。
【００１８】
本発明の電力情報表示装置において、現在発電量及び現在使用電力が互いに略平衡状態になって電力売買状況検出部から売電及び買電のいずれにも属さない旨の売電／買電情報が表示制御手段に出力されれば、表示制御手段として、電力状況表示モニターの上下方向一側領域における発電量表示部と、上下方向他側領域における現在発電量表示部とを左右方向に対し互いに同じ位置にそれぞれ領域設定し、設定された発電量表示部に対し現在発電量に係る情報表示を、同じく設定された現在使用電力表示部に対し現在使用電力に係る情報表示をそれぞれ表示する構成とすることができる（請求項１０）。このようにすることにより、請求項９の場合と同様に、発電量表示部及び使用電力表示部の表示を、たとえ遠くから見たとしても、それらの左右方向に対する表示位置が同等か否かを一目で認識し得ることとなる。このため、これら現在発電量が現在使用電力と同等の平衡状態にあり、ひいては、現在の電力売買状況が売電でも買電でもない状態であることについて、一目見るだけで把握可能となし得ることになる。
【００１９】
本発明の電力情報表示装置において、表示制御手段として、売電／買電情報が買電であれば、電力状況表示モニターの上下方向一側領域において売電／買電情報が売電の場合とは逆に左右方向他側位置に領域設定した発電量表示部に対し現在発電量に係る情報表示を表示する一方、電力状況表示モニターの上下方向他側領域において発電量表示部よりも左右方向に対し一側位置に領域設定した使用電力表示部に対し現在使用電力に係る情報表示を表示する構成とすることができる（請求項１１）。このようにすることにより、請求項９の場合と同様に、発電量表示部及び使用電力表示部の表示を、たとえ遠くから見たとしても、それらの表示位置が左右方向に対しずれていることを一目で認識し得ることとなる。このため、これら現在発電量に係る情報や、現在使用電力に係る情報、ひいては、現在の電力売買状況が買電電状態にあることについて、一目見るだけで把握可能となし得ることになる。
【００２０】
本発明の電力情報表示装置において、表示制御手段として、現在発電量及び現在使用電力に基づいて得られる売電の電力値又は買電の電力値の各数値の大小に応じて、発電量表示部と、使用電力表示部との左右方向位置を段階的に又は無段階に変更する構成とすることができる（請求項１２）。このようにすることにより、発電量表示部及び使用電力表示部の表示を、たとえ遠くから見たとしても、それぞれの表示位置の左右方向に対するずれの程度の違いが一目で認識し得ることとなる。このため、これら現在の電力売買状況が売電状態にあるのか買電状態にあるのかの情報に加えて、その売電状態又は買電状態の程度がどれ位かの目安について、一目見るだけで把握可能となし得ることになる。
【００２１】
このような電力情報表示装置においては、表示制御手段として、発電量表示部と、使用電力表示部との左右方向位置の変更を、発電量表示部と使用電力表示部との上下方向の略中間点を支点にして、発電量表示部と使用電力表示部とが点対称を維持するように変更する構成を追加することができる（請求項１３）。このようにすることにより、発電量表示部と使用電力表示部との左右方向位置の変更が、前記支点を中心として磁石針の如く一方が左右方向一側に対しより大きく移動すれば、他方が左右方向他側に対しより大きく移動するものとなり、前記の売電状態又は買電状態の程度がどれ位かの目安について、より容易に把握可能となし得ることになる。
【００２２】
又、このような電力情報表示装置においては、表示制御手段として、現在発電量及び現在使用電力に基づいて得られる売電の電力値又は買電の電力値の数値表示を、前記支点を囲むように領域設定された売電／買電表示部に対し売電／買電情報の表示と共に表示する構成とすることができる（請求項１４）。このようにすることにより、売電の電力値又は買電の電力値の数値表示が行われるため、売電又は買電の程度を具体的な数値で確認し得ることとなる。
【００２３】
さらに、本発明の電力情報表示装置において、表示制御手段として、電力状況表示モニターの背景の少なくとも一部領域に対し有色の色彩で着色する構成とし、かつ、その着色を前記売電／買電情報の売電か買電かによって互いに異なる色彩に変更する構成とすることができる（請求項１５）。このようにすることにより、売電か買電かによって互いに異なる色彩の着色が付されているため、現在の電力売買状況が売電であるか買電であるかの別を、遠くからでも一目見るだけで視覚的に容易に把握し得ることとなる。
【００２４】
このような電力情報表示装置においては、表示制御手段として、発電量表示部と使用電力表示部とを互いに結ぶように設定した区画線を挟んで左右方向に対しいずれか一方の領域に対し着色する構成を追加することができる（請求項１６）。このようにすることにより、発電量表示部と使用電力表示部との左右方向位置の違いが遠くから見ても着色領域の形状の違いにより一目で認識可能となり、前記の現在の電力売買状況が売電であるか買電であるかの別についての把握を、視覚的により一層容易に把握し得ることとなる。
【発明の効果】
【００２５】
以上、説明したように、請求項１〜請求項８のいずれかに係る第１の発明の電力情報表示装置によれば、電力状況表示モニターの左右方向一側領域に発電量表示部を表示し、左右方向他側領域に使用電力表示部を表示し、かつ、発電量表示部の表示位置を上下方向一側位置に領域設定する一方、使用電力表示部の表示位置を上下方向他側位置に領域設定するようにしているため、発電量表示部及び使用電力表示部の表示を、たとえ遠くから見たとしても、その表示位置の高い／低いという違いを一目で認識することができるようになる。このため、これら現在発電量に係る情報や、現在使用電力に係る情報、ひいては、現在の電力売買状況が売電状態にあることについて、一目見るだけで把握可能とすることができる。
【００２６】
請求項２の電力情報表示装置によれば、現在発電量及び現在使用電力が互いに略平衡状態になって電力売買状況検出部から売電及び買電のいずれにも属さない旨の売電／買電情報が表示制御手段に出力されれば、表示制御手段として、電力状況表示モニターの左右方向一側領域における発電量表示部と、左右方向他側領域における現在発電量表示部とを上下方向に対し互いに同じ位置にそれぞれ領域設定し、設定された発電量表示部に対し現在発電量に係る情報表示を、同じく設定された現在使用電力表示部に対し現在使用電力に係る情報表示をそれぞれ表示する構成とすることにより、発電量表示部及び使用電力表示部の表示を、たとえ遠くから見たとしても、それらの上下方向に対する表示位置が同等か否かを一目で認識することができるようになる。このため、これら現在発電量が現在使用電力と同等の平衡状態にあり、ひいては、現在の電力売買状況が売電でも買電でもない状態であることについて、一目見るだけで把握可能とすることができる。
【００２７】
請求項３の電力情報表示装置によれば、表示制御手段として、売電／買電情報が買電であれば、電力状況表示モニターの左右方向一側領域において売電／買電情報が売電の場合とは逆に上下方向他側位置に領域設定した発電量表示部に対し現在発電量に係る情報表示を表示する一方、電力状況表示モニターの左右方向他側領域において発電量表示部よりも上下方向に対し一側位置に領域設定した使用電力表示部に対し現在使用電力に係る情報表示を表示する構成とすることにより、発電量表示部及び使用電力表示部の表示を、たとえ遠くから見たとしても、その表示位置の高い／低いという違いを一目で認識することができるようになる。このため、これら現在発電量に係る情報や、現在使用電力に係る情報、ひいては、現在の電力売買状況が買電状態にあることについて、一目見るだけで把握可能とすることができる。
【００２８】
請求項４の電力情報表示装置によれば、表示制御手段として、現在発電量及び現在使用電力に基づいて得られる売電の電力値又は買電の電力値の各数値の大小に応じて、発電量表示部と、使用電力表示部との上下方向位置を段階的に又は無段階に変更する構成とすることにより、発電量表示部及び使用電力表示部の表示を、たとえ遠くから見たとしても、それぞれの表示位置の高い／低いという程度の違いが一目で認識することができるようになる。このため、これら現在の電力売買状況が売電状態にあるのか買電状態にあるのかの情報に加えて、その売電状態又は買電状態の程度がどれ位かの目安について、一目見るだけで把握可能とすることができる。
【００２９】
請求項５の電力情報表示装置によれば、表示制御手段として、発電量表示部と、使用電力表示部との上下方向位置の変更を、発電量表示部と使用電力表示部との左右方向の略中間点を支点にして、発電量表示部と使用電力表示部とが点対称を維持するように変更する構成を付加することにより、発電量表示部と使用電力表示部との上下方向位置の変更が、前記支点を中心としてシーソーの如く一側がより高くなれば他側がより低く変化するものとなり、前記の売電状態又は買電状態の程度がどれ位かの目安について、より一層容易に把握可能とすることができる。
【００３０】
請求項６の電力情報表示装置によれば、表示制御手段として、現在発電量及び現在使用電力に基づいて得られる売電の電力値又は買電の電力値の数値表示を、前記支点を囲むように領域設定された売電/買電表示部に対し売電／買電情報の表示と共に表示する構成を付加することにより、売電の電力値又は買電の電力値の数値表示が行われるため、売電又は買電の程度を具体的な数値で確認することができるようになる。
【００３１】
請求項７の電力情報表示装置によれば、表示制御手段として、電力状況表示モニターの背景の少なくとも一部領域に対し有色の色彩で着色する構成とし、かつ、その着色を売電／買電情報の売電か買電かによって互いに異なる色彩に変更する構成とすることにより、売電か買電かによって互いに異なる色彩の着色を付すようにしているため、現在の電力売買状況が売電であるか買電であるかの別を、遠くからでも一目見るだけで視覚的に容易に把握することができる。
【００３２】
請求項８の電力情報表示装置によれば、表示制御手段として、発電量表示部と使用電力表示部とを互いに結ぶように設定した区画線を挟んで上下方向に対しいずれか一方の領域に対し着色する構成を追加することにより、発電量表示部と使用電力表示部との上下方向位置の違いを遠くから見ても着色領域の形状の違いにより一目で認識することができるようになり、前記の現在の電力売買状況が売電であるか買電であるかの別についての把握を、視覚的により一層容易に把握することができる。
【００３３】
又、請求項９〜請求項１６のいずれかに係る第２の発明の電力情報表示装置によれば、電力状況表示モニターの上下方向一側領域に発電量表示部を表示し、上下方向他側領域に使用電力表示部を表示し、かつ、発電量表示部の表示位置を左右方向一側位置に領域設定する一方、使用電力表示部の表示位置を左右方向他側位置に領域設定するようにしているため、発電量表示部及び使用電力表示部の表示を、たとえ遠くから見たとしても、それらの表示位置が左右方向に対しずれていることを一目で認識することができるようになる。このため、これら現在発電量に係る情報や、現在使用電力に係る情報、ひいては、現在の電力売買状況が売電状態にあることについて、一目見るだけで把握可能とすることができる。
【００３４】
請求項１０の電力情報表示装置によれば、現在発電量及び現在使用電力が互いに略平衡状態になって電力売買状況検出部から売電及び買電のいずれにも属さない旨の売電／買電情報が表示制御手段に出力されれば、表示制御手段として、電力状況表示モニターの上下方向一側領域における発電量表示部と、上下方向他側領域における現在発電量表示部とを左右方向に対し互いに同じ位置にそれぞれ領域設定し、設定された発電量表示部に対し現在発電量に係る情報表示を、同じく設定された現在使用電力表示部に対し現在使用電力に係る情報表示をそれぞれ表示する構成とすることにより、発電量表示部及び使用電力表示部の表示を、たとえ遠くから見たとしても、それらの左右方向に対する表示位置が同等か否かを一目で認識することができるようになる。このため、これら現在発電量が現在使用電力と同等の平衡状態にあり、ひいては、現在の電力売買状況が売電でも買電でもない状態であることについて、一目見るだけで把握可能とすることができる。
【００３５】
請求項１１の電力情報表示装置によれば、表示制御手段として、売電／買電情報が買電であれば、電力状況表示モニターの上下方向一側領域において売電／買電情報が売電の場合とは逆に左右方向他側位置に領域設定した発電量表示部に対し現在発電量に係る情報表示を表示する一方、電力状況表示モニターの上下方向他側領域において発電量表示部よりも左右方向に対し一側位置に領域設定した使用電力表示部に対し現在使用電力に係る情報表示を表示する構成とすることにより、発電量表示部及び使用電力表示部の表示を、たとえ遠くから見たとしても、それらの表示位置が左右方向に対しずれていることを一目で認識することができるようになる。このため、これら現在発電量に係る情報や、現在使用電力に係る情報、ひいては、現在の電力売買状況が買電電状態にあることについて、一目見るだけで把握可能とすることができる。
【００３６】
請求項１２の電力情報表示装置によれば、表示制御手段として、現在発電量及び現在使用電力に基づいて得られる売電の電力値又は買電の電力値の各数値の大小に応じて、発電量表示部と、使用電力表示部との左右方向位置を段階的に又は無段階に変更する構成とすることにより、発電量表示部及び使用電力表示部の表示を、たとえ遠くから見たとしても、それぞれの表示位置の左右方向に対するずれの程度の違いを一目で認識することができるようになる。このため、これら現在の電力売買状況が売電状態にあるのか買電状態にあるのかの情報に加えて、その売電状態又は買電状態の程度がどれ位かの目安について、一目見るだけで把握可能とすることができる。
【００３７】
請求項１３の電力情報表示装置によれば、表示制御手段として、発電量表示部と、使用電力表示部との左右方向位置の変更を、発電量表示部と使用電力表示部との上下方向の略中間点を支点にして、発電量表示部と使用電力表示部とが点対称を維持するように変更する構成を追加することにより、発電量表示部と使用電力表示部との左右方向位置の変更を、前記支点を中心として磁石針の如く一方が左右方向一側に対しより大きく移動すれば、他方が左右方向他側に対しより大きく移動するものとなし得るため、前記の売電状態又は買電状態の程度がどれ位かの目安について、より容易に把握可能とすることができる。
【００３８】
請求項１４の電力情報表示装置によれば、表示制御手段として、現在発電量及び現在使用電力に基づいて得られる売電の電力値又は買電の電力値の数値表示を、前記支点を囲むように領域設定された売電／買電表示部に対し売電／買電情報の表示と共に表示する構成とすることにより、売電の電力値又は買電の電力値の数値表示が行われるため、売電又は買電の程度を具体的な数値で確認することができるようになる。
【００３９】
請求項１５の電力情報表示装置によれば、表示制御手段として、電力状況表示モニターの背景の少なくとも一部領域に対し有色の色彩で着色する構成とし、かつ、その着色を前記売電／買電情報の売電か買電かによって互いに異なる色彩に変更する構成とすることにより、売電か買電かによって互いに異なる色彩の着色が付されているため、現在の電力売買状況が売電であるか買電であるかの別を、遠くからでも一目見るだけで視覚的に容易に把握することができるようになる。
【００４０】
請求項１６の電力情報表示装置によれば、表示制御手段として、発電量表示部と使用電力表示部とを互いに結ぶように設定した区画線を挟んで左右方向に対しいずれか一方の領域に対し着色する構成を追加することにより、発電量表示部と使用電力表示部との左右方向位置の違いを遠くから見ても着色領域の形状の違いにより一目で認識することができ、前記の現在の電力売買状況が売電であるか買電であるかの別についての把握を、視覚的により一層容易に把握することができるようになる。
【図面の簡単な説明】
【００４１】
【図１】本発明の実施形態に係る電力情報表示装置と、これが適用される発電装置の模式図である。
【図２】図１の発電装置の具体的な一例を示すブロック構成図である。
【図３】図３（ａ）は売電時における表示部の表示例を示す正面図であり、図３（ｂ）は買電時における表示部の表示例を示す正面図である。
【図４】図４（ａ）は図３（ａ）の売電時の段階別表示を定める閾値の例を示す表であり、図４（ｂ）は図３（ｂ）の買電時の段階別表示を定める閾値の例を示す表である。
【図５】図５は売電時の段階別表示例を示し、図５（ａ）は１段階目の表示例であり、図５（ｂ）は２段階目の表示例であり、図５（ｃ）は３段階目の表示例である。
【図６】図６は買電時の段階別表示例を示し、図６（ａ）は１段階目の表示例であり、図６（ｂ）は２段階目の表示例であり、図６（ｃ）は３段階目の表示例である。
【図７】表示部に対する他の実施形態に係る表示例を示す正面図である。
【発明を実施するための形態】
【００４２】
以下、本発明の実施形態を図面に基づいて説明する。
【００４３】
図１は、本発0明の実施形態に係る電力情報表示装置が適用される発電システムの基本構成を示している。この発電システムは、例えば太陽電池パネル等により構成される発電部１０１で発電される直流電力をパワーコンディショナー１０２によって交流電力に変換して商用電力系統２００に系統連系され、家庭内負荷３００（又は構内負荷）に交流電力を供給する一方、余剰電力を商用電力系統２００へ逆潮流する構成となっている。又、発電量計測部１１１により検出された発電部１０１の発電量と、電力売買状況検出部１１３により検出された現在の電力売買状況（売電か買電か、売電ならその電力値、買電ならその電力値等）とのデータを受けて、パワーコンディショナー１０２の使用電力計測部１１２において家庭内負荷３００の使用電力が演算により取得されるようになっている。そして、これら発電量計測部１１１，使用電力計測部１１２，電力売買状況検出部１１３やパワーコンディショナー１０２と通信可能に接続された電力情報表示装置４００により、現在発電量，現在使用電力及び前記電力売買状況に関する売電／買電情報の出力を受けて所定の電力情報が表示されるようになっている。なお、電力情報表示装置４００は、現在発電量，現在使用電力及び前記電力売買状況に関する売電／買電情報の出力を、パワーコンディショナー１０２のみから受けることも可能である。
【００４４】
図２は、前記発電システムとして、より具体的な一例を示したものである。その発電システムは、太陽電池パネルにより主構成される発電部１で発電される直流電力をパワーコンディショナー２によって交流電力に変換して単層３線式の商用電力系統に系統連系され、家庭内負荷３（又は構内負荷）に交流電力を供給するとともに余剰電力を商用電力系統へ逆潮流するように構成されたものである。
【００４５】
商用電力系統の単層３線式の引き込み線５は、買電用メーター６ａ及び売電用メーター６ｂを介して配電盤７に接続されている。配電盤７には、アンペアブレーカー８（契約ブレーカー）、漏電ブレーカー９及び安全ブレーカー１０が設けられ、これらブレーカー８，９，１０を介して系統電力が家庭内負荷３に供給される。また、配電盤７には、安全ブレーカー１０から系統電力の供給を受ける電力測定ユニット１１が設けられている。パワーコンディショナー２の出力は発電用ブレーカー１２を介してアンペアブレーカー８と漏電ブレーカー９との間の接続部１３で系統に並列に接続されている。
【００４６】
また、上記接続部１３よりも引き込み線５側には、系統を流れる電流値を検出するためのカレントトランス（ＣＴ）１４が設けられており、このカレントトランス１４は電力測定ユニット１１に電気的に接続されて、検出値が電力測定ユニット１１に供給されている。なお、図示例ではカレントトランス１４はＵ相とＶ相にそれぞれ設けているが、いずれか一方のみに設けても良い。
【００４７】
電力測定ユニット１１は、安全ブレーカー１０から供給される系統電力の系統電圧と、カレントトランス１４により検出された電流値とに基づき、単位時間あたりの系統からの受電電力に係る平均電力を周期的に演算して、演算により求められた受電電力を符号化してなる受電電力に関するデータを第１の信号線１５を介してパワーコンディショナー２へシリアル通信により送出する。なお、受電電力に代えて、所定の単位時間（例えば１〜５秒）あたりの受電電力量を、前記受電電力に関するデータとしてパワーコンディショナー２へ送出することもできる。演算により求められる受電電力は、系統から電力を購入している場合（買電の場合）は正の値となり、系統へ逆潮流している場合（売電の場合）は負の値となる。この逆潮流の有無により、電力売買状況が売電か買電かのいずれであるかについての売電／買電情報の生成が可能となる。かかる逆潮流の有無に関する２値信号（売電／買電情報）を生成して、第２の信号線１６を介してパワーコンディショナー２へ出力している。なお、前記の第２の信号線を省いて第１の信号線１５のみとし、電力測定ユニット１１内に設けた図示省略のマルチプレクサにより受電電力に関するデータと、逆潮流の有無を示す信号とを多重化し、かかる多重化信号を信号線１５を介してパワーコンディショナー２の接続端子１７へ供給し、パワーコンディショナー２側に設けた図示省略のデマルチプレクサにより逆多重化して、受電電力に関するデータと、逆潮流の有無を示す信号とを制御部２１へ供給するようにすることもできる。
【００４８】
なお、電力測定ユニット１１は、前記の受電電力又は受電電力量のみでなく、家庭内で消費されるガス量や水道水量などを測定する機能を具備することができ、これら消費ガス量や水道水量に関するデータをも併せたシリアルデータとして、電力測定ユニット１１からパワーコンディショナー２へシリアル通信により送出することができる。
【００４９】
パワーコンディショナー２は、制御部２１と、発電部１で発電された直流電力を昇圧して出力するＤＣ／ＤＣコンバーター２２と、該コンバーター２２の出力をＤＣ／ＡＣ変換するインバーター２３を備えており、該インバーター２３の出力がパワーコンディショナー２の出力となる。制御部２１には、第１及び第２の信号線１５，１６が接続された接続端子１７，１８を介して、上記の受電電力に関するデータ、並びに、逆潮流の有無に関する２値信号がそれぞれ入力されている。また、パワーコンディショナー２内には、系統連系点の系統電圧を検出するための計器用変圧器２４（系統電圧検出手段）が設けられており、該計器用変圧器２４は制御部２１に電気的に接続され、系統電圧検出値が制御部２１に入力されている。そして、パワーコンディショナー２には外付けの電力情報表示装置４が通信可能に接続されており、この電力情報表示装置４は屋内に設置され、内蔵された表示制御手段が制御部２１から電力売買状況が売電か買電かの売電／買電情報、現在発電量、及び、現在使用電力等の発電システムの電力状況に関する各種データを受信して、電力状況表示モニター４１に対し現在の電力状況を表示できるようになっている。以上のパワーコンディショナー２や電力測定ユニット１１によって、図１の発電量計測部１１１、使用電力計測部１１２及び電力売買状況検出部１１３が構成されている。
【００５０】
なお、制御部２１は、出力される交流電力の力率を制御することにより系統電圧の上昇抑制を行う無効電力制御手段２１ａ、出力の有効電力を抑制するための出力抑制制御手段２１ｂ、並びに、系統電圧が系統連系規程に定められる所定電圧を超えたときに発電システムを系統から解列させる解列制御手段２１ｃを備えている。これら各手段２１ａ，２１ｂ，２１ｃはマイコンのシーケンス制御によって実現してもよいし、ＦＰＧＡにより構成しても良いし、各手段毎の専用制御回路によって実現してもよい。
【００５１】
次に、電力情報表示装置４の電力状況表示モニター４１に対する表示制御手段による表示制御について図３を参照しつつ詳細に説明する。電力状況表示モニター４１は、例えばカラー表示可能なドットマトリクスＬＣＤにより構成することができる。本実施形態における特徴的な表示制御のために、少なくとも現在発電量及び現在使用電力に係る出力を利用する。かかる現在発電量及び現在使用電力に基づき判定される売電／買電情報の出力を受けてそのまま利用することもできるが、少なくとも現在発電量及び現在使用電力に係る出力を受けることで、これらの情報を用いて下記の如き演算・判定を行えば、現在の電力売買状況が売電か買電かの売電／買電情報や、売電又は買電の電力値を表示制御手段において得ることができる。
（現在使用電力−現在発電量）＝Ｘ    …（１）式とした場合、
Ｘ＞０であれば、Ｘは買電の電力値を示し、
Ｘ＝略０であれば、売電及び買電のいずれにも属さない平衡状態であることを示し、
Ｘ＜０であれば、Ｘは売電の電力値を示す。
【００５２】
そして、表示制御手段は、前記の現在発電量や現在使用電力の各値に基づいて、電力状況表示モニター４１に対し、次の如き表示を行う。すなわち、図３（ａ），（ｂ）に示す如く、電力状況表示モニター４１を左右方向に３つの領域に区分し、左右方向一側領域（左側領域）に対し発電量表示のための発電量表示部４３を領域設定し、左右方向他側領域（右側領域）に対し使用電力表示のための使用電力表示部４４を領域設定し、両者間の左右方向中央領域に対し売電又は買電に係る売電／買電表示のための売電／買電表示部４２を領域設定する。売電/買電表示部４２は、前記左右方向中央領域における上下方向中間の特定位置に仮想の支点を設定し、この支点を囲む領域（図例では円領域）として設定されたもので、この売電/買電表示部４２に対し売電/買電表示として売電か買電かの情報に係る文字表示（「売電」か「買電」の文字表示）と、売電の電力値又は買電の電力値の数値表示とが表示される。これと同様に所定形状（図例では円）に領域設定された発電量表示部４３は、その現在発電量の多少に応じて上下方向に対し表示位置が変更される一方、同様形状に領域設定された使用電力表示部４４も、その現在使用電力の多少に応じて上下方向に対し発電量表示部４３の表示位置変更方向とは逆方向に表示位置が変更されるようになっている（図３（ａ），（ｂ）の一点鎖線，二点鎖線，三点鎖線で示す円領域参照）。
【００５３】
前記の発電量表示領域４３及び使用電力表示領域４４の上下方向位置の変更は、前記の（１）式で使用される現在発電量や現在使用電力の各数値の大小に応じて段階的又は無段階に実行されるようになっている。複数段の段階的に変更する場合には、段階数と、どの段階に属するかを定める閾値とを予め設定しておき、この閾値との対比により上下方向位置の段階を割り出すようにすることができる。
【００５４】
前記の段階的に上下位置を変更する表示制御とは、より詳しくは、前記の売電／買電表示部４２の中心点を仮想の支点として、左の発電量表示部４３と、右の使用電力表示部４４との上下方向位置が点対称関係を維持するように、発電量表示部４３及び使用電力表示部４４互いに上下方向に対し逆側に移動させるのである。これにより、発電量表示部４３、売電／買電表示部４２及び使用電力表示部４４の各中心点を結ぶように左右方向に延びる区画線４５を表示すれば、売電／買電表示部４２の中心点を支点とするシーソーの如く、左の発電量表示部４３と、右の使用電力表示部４４とが上下方向に対し上がり下がりして表示位置の変更が行われるようにしている。
【００５５】
図３の具体例では、現在発電量と現在使用電力とが互いに平衡している時（Ｘ＝略０）には売電／買電表示部４２を挟んで発電量表示部４３と使用電力表示部４４とが上下方向に対し売電／買電表示部４２と同じ位置に表示され、前記区画線４５が水平に延びた状態に表示される（図３（ａ），（ｂ）の実線の区画線参照）。現在発電量よりも現在使用電力の数値が大であり、（１）式のＸが正の値（Ｘ＞０；買電）となれば、その買電の電力値の数値が大になるほど、発電量表示部４３の表示位置を下方に、使用電力表示部４４の表示位置を上方に対し、それぞれ段階的に移動させるようにする（図３（ａ）参照）。この場合には、前記の区画線４５が左向きの下り勾配の傾斜線となり、段階が進む毎にその傾斜段階が増大するように表示されるようになる。逆に、現在発電量よりも現在使用電力の数値が小であり、（１）式のＸが負の値（Ｘ＜０；売電）となれば、その売電の電力値の数値（Ｘの絶対値）が大になるほど、発電量表示部４３の表示位置を上方に、使用電力表示部４４の表示位置を下方に対し、それぞれ段階的に移動させるようにする（図３（ｂ）参照）。この場合には、前記の区画線４５が右向きの下り勾配の傾斜線となり、段階が進む毎にその傾斜段階が増大するように表示されるようになる。
【００５６】
図３（ａ），（ｂ）にそれぞれ実線で図示したＸ＝略０の場合には、売電／買電表示部４２の上段位置に「売電」の文字表示が表示され、中段位置にその電力値として「０．０ｋＷ」の数値表示が表示され、下段位置に損得勘定を意味するお金の単位である円の図形表示が表示される。なお、この場合、上段位置に対し便宜的に「売電」の文字表示を行っている例を示したが、売電による“得”も買電による“損”も略ゼロの状態であるため、「売電」の代わりに「買電」を表示したり、「売電／買電」と表示したり、あるいは、無表示にしたり、することもできる。又、発電量表示部４３には、上段位置に「発電」の文字表示が表示され、中段位置にその電力値として例えば「２．０ｋＷ」の数値表示が表示され、下段位置に発電をイメージした図形表示が表示される。さらに、使用電力表示部４４には、上段位置に「使用電力」の文字表示が表示され、中段位置にその電力値として例えば「２．０ｋＷ」の数値表示が表示され、下段位置に電力使用をイメージした図形表示（例えばコンセントの図形表示）が表示される。なお、前記（１）式の演算値であるＸの値が０プラスマイナス微小値の範囲においては、ヒステリシスを考慮してＸ＝０とみなす処理を行うようにすることができる。
【００５７】
なお、いずれの表示部４２〜４４においても、数値表示のサイズを他の表示よりも大きく強調表示している。又、いずれの表示部４２〜４４においても、文字表示、数値表示及び図形表示を互いに異なる色彩で着色するようにすることができる。例えば、発電量表示部４３は赤色で表示し、使用電力表示部４４は緑色で表示することができる。さらに、区画線４５を挟んで上下方向のいずれか一方の側（例えば下側）の領域に対し有色の色彩（有彩色）の着色を付し、かつ、その着色を売電の場合と、買電の場合とで互いに異なる色彩とするようにすることができる。例えば、売電の場合には青色に着色し、買電の場合には橙色に着色することができる。このようにすることにより、比較的遠くからでも視覚的に青色か橙色かの区別がつくため、一目で現在の電力売買状況が売電か買電か、あるいは、得しているか損しているかを区別して容易に把握することができる。さらに、後述の傾斜段階（勾配）に応じて、前記の着色の濃淡度合いを変化させるようにすることにより、遠くからでも一目で現在の電力売買状況が売電であってもあるいは買電であっても、その程度が大きいか小さいかの別、あるいは、得・損の程度が大きいか小さいかの別まで容易に把握することができる。
【００５８】
又、電力状況表示モニター４１の下端縁の帯状領域を左右方向に３分割し、それぞれをタッチパネル方式によるグラフ／データボタン４８１、料金ボタン４８２、メニューボタン４８３として割り付けている。グラフ／データボタン４８１を押すことにより、経時的な発電量、使用電力等がグラフ又はデータにより表示される表示画面に切り替わり、料金ボタン４８２を押すことにより、売電又は買電に係る具体的な料金を表示する表示画面に切り替わり、あるいは、メニューボタン４８３を押すことにより、種々のメニュー選択を行うための表示画面に切り替わるようになっている。
【００５９】
次に、発電量表示部４３及び使用電力表示部４４を前記の如く上下方向に対し段階的に移動表示させるための具体的手法について図４の例を参照しつつ説明する。図４（ａ）は売電の場合（Ｘ＜の場合）に用いる閾値を示し、図４（ｂ）は買電の場合（Ｘ＞０の場合）に用いる閾値の例を示している。売電の場合、発電部１，１０１が何枚の太陽光発電パネルによって構成されているかの発電システムの定格発電規模（例えば３．０ｋＷシステム，４．３ｋＷシステム，５．８ｋＷシステム等）と、３段階に移動表示させるための閾値（例えば２０％未満，２０％以上〜５０％未満，５０％以上等）とが予め表示制御手段に入力設定されており、売電の電力値である前記（１）式のＸの値（絶対値）が定格発電量の何パーセントかを演算し、演算値が例えば２０％未満であれば１段階目、２０％以上〜５０％未満であれば２段階目、５０％以上であれば３段階目、というように傾斜の段階を割り出すようにしている。１段階目として例示した２０％未満という電力値は、例えば曇りのときの発電量又は晴れていても早朝・夕方の発電量を想定した数値であり、又、２段階目として例示した２０％以上〜５０％未満という電力値は、例えば晴れた日の正午付近を除き朝から昼間の発電量を想定した数値であり、さらに、３段階目として例示した５０％以上という電力値は、例えば晴れの日の正午付近のピーク時の発電量を想定した数値である。従って、具体的な閾値の値としては他の数値を採用してもよい。
【００６０】
傾斜段階が１段階目であれば、例えば図５（ａ）に例示するように、左側領域の発電量表示部４３が売電／買電表示部４２の表示位置よりもやや上方に位置設定される一方、右側領域の使用電力表示部４４が売電／買電表示部４２の表示位置よりもやや下方に位置設定される。加えて、区画線４５よりも上側領域４６が無着色又は淡色の背景色とされる一方、区画線４５よりも下側領域４７が青色で着色される。これにより、現在の電力売買状況が売電であることを、遠くからでも一目見るだけで視覚的に容易に把握することができるようになる。又、傾斜段階が２段階目であれば、例えば図５（ｂ）に例示するように、左側領域の発電量表示部４３が前記１段階目の表示位置よりもさらに上方に位置設定される一方、右側領域の使用電力表示部４４が前記１段階目の表示位置よりもさらに下方に位置設定される。加えて、１段階目の場合と同様に、区画線４５よりも上側領域４６が無着色又は淡色の背景色とされる一方、区画線４５よりも下側領域４７が青色で着色される。この場合、区画線４５の傾斜状態がより強く変更されて、青色の着色領域（下側領域４７）の形状が変化するため、１段階目の場合よりも売電の程度がより大きく変化したことを視覚的に容易に把握することができるようになる。さらに、傾斜段階が３段階目であれば、例えば図５（ｃ）に例示するように、左側領域の発電量表示部４３が前記２段階目の表示位置よりもさらに上方に位置設定される一方、右側領域の使用電力表示部４４が前記２段階目の表示位置よりもさらに下方に位置設定される。加えて、１段階目や２段階目の場合と同様に、区画線４５よりも上側領域４６が無着色又は淡色の背景色とされる一方、区画線４５よりも下側領域４７が青色で着色される。この場合、青色の着色領域が区画線４５の傾斜状態が２段階目の場合よりもさらに強く変更されて形状が大きく変化するため、１段階目や２段階目の場合よりも売電の程度がより一層大きく変化したことを視覚的に容易に把握することができるようになる。
【００６１】
一方、買電の場合、図４（ｂ）に示すように、買電の電力値に応じて３段階の傾斜段階別に移動表示させるための閾値（例えば５００Ｗ未満，５００Ｗ〜１．０ｋＷ未満，１．０ｋＷ以上等）が予め表示制御手段に入力設定されており、買電の電力値である前記（１）式のＸの値が例えば５００Ｗ未満であれば１段階目、５００Ｗ以上〜１．０ｋＷ未満であれば２段階目、１．０ｋＷ以上であれば３段階目、というように傾斜の段階を割り出すようにしている。１段階目として例示した５００Ｗ未満という電力値は、例えばユーザーが不在もしくは就寝時、あるいは昼間の在宅中であっても待機電力のみというように殆ど電力を消費していない状態での消費電力を表す数値を想定したものであり、又、２段階目として例示した５００Ｗ以上〜１．０ｋＷ未満という電力値は、例えば在宅中で普通に生活している状態での消費電力を表す数値を想定したものであり、さらに、３段階目として例示した１．０ｋＷ以上という電力値は在宅中で普通に生活しているものの、大物の家庭内負荷（例えばエアコンや電子レンジ等）を使用している状態での消費電力を表す数値を想定したものである。従って、具体的な閾値としては他の数値を採用してもよい。
【００６２】
傾斜段階が１段階目であれば、例えば図６（ａ）に例示するように、左側領域の発電量表示部４３が売電／買電表示部４２の表示位置よりもやや下方に位置設定される一方、右側領域の使用電力表示部４４が売電／買電表示部４２の表示位置よりもやや上方に位置設定される。加えて、区画線４５よりも上側領域４６が売電の場合と同様に無着色又は淡色の背景色とされる一方、区画線４５よりも下側領域４７が橙色で着色される。売電の場合の青色とは異なり、買電の場合には橙色の着色が付されるため、現在の電力売買状況が買電であることを、遠くからでも一目見るだけで視覚的に容易に把握することができるようになる。又、傾斜段階が２段階目であれば、例えば図６（ｂ）に例示するように、左側領域の発電量表示部４３が前記１段階目の表示位置よりもさらに下方に位置設定される一方、右側領域の使用電力表示部４４が前記１段階目の表示位置よりもさらに上方に位置設定される。加えて、１段階目の場合と同様に、区画線４５よりも上側領域４６が無着色又は淡色の背景色とされる一方、区画線４５よりも下側領域４７が橙色で着色される。この場合、売電の場合と同様に、区画線４５の傾斜状態がより強く変更されて、橙色の着色領域（下側領域４７）の形状が変化するため、１段階目の場合よりも買電の程度がより大きく変化したことを視覚的に容易に把握することができるようになる。さらに、傾斜段階が３段階目であれば、例えば図６（ｃ）に例示するように、左側領域の発電量表示部４３が前記２段階目の表示位置よりもさらに下方に位置設定される一方、右側領域の使用電力表示部４４が前記２段階目の表示位置よりもさらに上方に位置設定される。加えて、１段階目や２段階目の場合と同様に、区画線４５よりも上側領域４６が無着色又は淡色の背景色とされる一方、区画線４５よりも下側領域４７が橙色で着色される。この場合、橙色の着色領域が区画線４５の傾斜状態が２段階目の場合よりもさらに強く変更されて形状が大きく変化するため、１段階目や２段階目の場合よりも買電の程度がより一層大きく変化したことを視覚的に容易に把握することができるようになる。
【００６３】
以上の実施形態の電力情報表示装置の場合、商用電力系統と系統連系される発電装置における現在の売電／買電の状況を、特に使用電力と発電量とのいずれが大きいかの別、言い換えれば電力売買状況が売電なのか買電なのか、それに伴い売電により得している状態なのか買電により料金支払いが必要な状態なのかの別、加えて、その度合いがどの程度なのかの情報を、比較的遠くからでも一目見るだけで視覚的に容易に把握することができるようになる。
【００６４】
＜他の実施形態＞
なお、本発明は前記実施形態に限定されるものではなく、その他種々の実施形態を包含するものである。例えば、前記実施形態では太陽光発電システムの例を示したが、その他の自然エネルギー（例えば風力又は潮力）を用いた発電システムや、現状では逆潮流の許されていない自然エネルギー以外の発電システム（例えば、燃料電池発電システムやガスエンジン発電システムなど）にも将来の法制度の改正があれば応用可能である。
【００６５】
発電量表示部４３及び使用電力表示部４４の表示位置が上下方向に対し段階的に移動するように変更表示させる場合、前記実施形態の如き３段階に移動させる他、例えば４段階でも５段階でも必要に応じて任意の段階数を設定することができる。又、段階的に変更表示させるための閾値の設定について、図４（ａ）に示すような売電の電力値が定格発電量（定格出力）の何％の範囲に属するかという閾値の設定法を、買電の場合に対しても適用することができ、あるいは、逆に、図４（ｂ）に示すような買電の電力値が何Ｗの範囲に属するかという閾値の設定法を、売電の場合に対しても適用することができる。さらに、閾値として、例えば発電が殆ど不能あるいは家庭内負荷の消費が殆どない深夜の時間帯においてのみ図４（ｂ）の閾値を用い、その他の時間帯には図４（ａ）と同様の閾値を用いるようにすることができる。さらに、図４（ａ）においては定格発電量を基準にしてその何％かという観点から閾値を設定しているが、これに限らず、例えば過去数ヶ月範囲あるいは過去１週間というように所定期間内の発電量と使用電力との差の最大値及び最小値を学習により更新取得し、この最大値と最小値との差を基準にして、その差の何％かという観点から閾値を設定することができる。
【００６６】
前記実施形態では、横長の電力状況表示モニター４１を左右方向に３つの領域に区分し、左側領域に対し発電量表示部４３を領域設定し、右側領域に対し使用電力表示部４４を領域設定し、両者間の左右方向中央領域に対し売電／買電表示部４２を領域設定し、（１）式のＸの値の大小に応じて、発電量表示部４３及び使用電力表示部４４が上下方向に対し互いに逆側に移動するように、表示位置の変更を行うようにしているが、これを売電／買電表示部４２を中心にして平面方向に９０度回転させて縦長の電力状況表示にすることができる。すなわち、図７に例示するように、縦長の電力状況表示モニター４１ａを上下方向に３つの領域に区分し、上側領域に対し発電量表示部４３ａを領域設定し、下側領域に対し使用電力表示部４４ａを領域設定し、両者間の上下方向中央領域に対し売電／買電表示部４２ａを領域設定し、（１）式のＸの値の大小に応じて、発電量表示部４３ａ及び使用電力表示部４４ａが左右方向に対し互いに逆側に移動するように、表示位置の変更を段階的に又は無段階に行うようにすることができる。そして、区画線４５ａを挟んだ左右方向両側の領域４６ａ，４７ａの一方（右側領域４７ａ）に対し売電の場合には例えば青色、買電の場合には例えば橙色というように、売電と買電とで互いに異なる色彩の着色を付すようにすればよい。なお、閾値を用いて段階的に表示位置を変更する手法は前記実施形態で示した手法と同様のものを適用すればよい。
【００６７】
区画線４５を挟んだ一側領域の着色例として、売電の場合、“得する”イメージとして青色を、買電の場合、“損する”イメージとして橙色を、それぞれ示したが、この組み合わせに限らず、他の色彩の組み合わせを採用することができる。例えば売電の場合に緑色の着色を、買電の場合に赤色の着色を、それぞれ付すようにしてもよい。
【符号の説明】
【００６８】
２            パワーコンディショナー
４，４００    電力情報表示装置
１１          電力測定ユニット
４１，４１ａ  電力状況表示モニター
４２          売電／買電表示部
４３          発電量表示部
４４          使用電力表示部
４５          区画線
４７          下側領域（一部領域）
４７ａ        右側領域（一部領域）
１００        発電装置
１１１        発電量計測部
１１２        使用電力計測部
１１３        電力売買状況検出部
３００        家庭内負荷
【図１】
2015070694.tif 000003
【図２】
2015070694.tif 000004
【図３】
2015070694.tif 000005
【図４】
2015070694.tif 000006
【図５】
2015070694.tif 000007
【図６】
2015070694.tif 000008
【図７】
2015070694.tif 000009